(57)【要約】【課題】本発明は、従来にない作用効果を発揮する画期的な融雪機能付き敷設ブロックを提供することを目的とする。【解決手段】被融雪部１に敷設され表面に突出部２が設けられた敷設ブロック３であって、前記突出部２には融雪流体５を導出する融雪流体導出部７が設けられ、この融雪流体導出部７は前記融雪流体５を供給する融雪流体供給部４と連設され、この融雪流体供給部４から供給される前記融雪流体５は前記突出部２から導出されるように構成されたものである。【選択図】図１
2008115538.tif 000002
【特許請求の範囲】
【請求項１】
被融雪部に敷設され表面に突出部が設けられた敷設ブロックであって、前記突出部には融雪流体を導出する融雪流体導出部が設けられ、この融雪流体導出部は前記融雪流体を供給する融雪流体供給部と連設され、この融雪流体供給部から供給される前記融雪流体は前記突出部から導出されるように構成されていることを特徴とする融雪機能付き敷設ブロック。
【請求項２】
請求項１記載の融雪機能付き敷設ブロックにおいて、前記融雪流体導出部は、前記突出部の頂面以外の部分に設けられていることを特徴とする融雪機能付き敷設ブロック。
【請求項３】
請求項１，２いずれか１項に記載の融雪機能付き敷設ブロックにおいて、前記突出部は前記敷設ブロックの表面に複数設けられており、この各突出部は盲目者を所定方向に誘導する誘導機能を発揮するように構成されていることを特徴とする融雪機能付き敷設ブロック。
【請求項４】
請求項１〜３いずれか１項に記載の融雪機能付き敷設ブロックにおいて、前記融雪流体導出部は、前記融雪流体を前記敷設ブロックの表面と略平行となる状態で導出するように構成されていることを特徴とする融雪機能付き敷設ブロック。
【請求項５】
請求項１〜４いずれか１項に記載の融雪機能付き敷設ブロックにおいて、前記敷設ブロックは内部に前記融雪流体が充填される空間を有することを特徴とする融雪機能付き敷設ブロック。
【請求項６】
請求項１〜５いずれか１項に記載の融雪機能付き敷設ブロックにおいて、前記融雪流体として温風が採用されていることを特徴とする融雪機能付き敷設ブロック。
【発明の詳細な説明】
【技術分野】
【０００１】
本発明は、融雪機能付き敷設ブロックに関するものである。
【背景技術】
【０００２】
従来から、例えば歩道の表層部を構成する敷設ブロックにおいて、内部に電熱線や温水パイプなどの発熱部を設けることで融雪機能が具備せしめられた敷設ブロックが種々提案されており、この融雪機能付き敷設ブロックは、発熱部から発せられる熱が敷設ブロックの表面まで伝熱されることで該表面の積雪を融雪するものである。
【０００３】
ところで、この融雪機能付き敷設ブロックとして、例えば実用新案登録第３０９７６１４号に開示されるような、表面に盲目者を所定方向に誘導する誘導機能を発揮する突出部を形成した融雪機能付きの点字ブロック（以下、従来例）が提案されている。
【０００４】
寒冷地において歩道に対して歩行可能となる程度の除雪・融雪は行われても歩道表面が雪で覆われたままのケースは多く、よって、この融雪機能付きの点字ブロックの一層の普及が望まれている。
【０００５】
【特許文献１】実用新案登録第３０９７６１４号公報
【発明の開示】
【発明が解決しようとする課題】
【０００６】
しかし、従来例は、その構造上、突出部まで発熱部の熱が伝熱されにくく、突出部及びその近傍部位の積雪を良好に融雪できない為、突出部を良好に露出させることができず、よって、点字ブロックとしての機能が発揮されない場合があるという問題点がある。
【０００７】
また、従来例は、突出部及びその近傍部位の積雪を融雪して突出部を露出させようとすると、熱源を長時間作動させることになるため（熱源を作動させる為の電気や灯油等のエネルギーが多く必要となるため）ランニングコストがかかってしまうという問題点もある。この点、ブロック自体を熱伝導性の高い素材で構成するなど種々試されているが、特別な素材を採用するとコスト高になるなど新たな問題点が生じている。
【０００８】
本発明は、上述した問題点に鑑み、従来にない作用効果を発揮する画期的な融雪機能付き敷設ブロックを提供するものである。
【課題を解決するための手段】
【０００９】
添付図面を参照して本発明の要旨を説明する。
【００１０】
被融雪部１に敷設され表面に突出部２が設けられた敷設ブロック３であって、前記突出部２には融雪流体５を導出する融雪流体導出部７が設けられ、この融雪流体導出部７は前記融雪流体５を供給する融雪流体供給部４と連設され、この融雪流体供給部４から供給される前記融雪流体５は前記突出部２から導出されるように構成されていることを特徴とする融雪機能付き敷設ブロックに係るものである。
【００１１】
また、請求項１記載の融雪機能付き敷設ブロックにおいて、前記融雪流体導出部７は、前記突出部２の頂面以外の部分に設けられていることを特徴とする融雪機能付き敷設ブロックに係るものである。
【００１２】
また、請求項１，２いずれか１項に記載の融雪機能付き敷設ブロックにおいて、前記突出部２は前記敷設ブロック３の表面に複数設けられており、この各突出部２は盲目者を所定方向に誘導する誘導機能を発揮するように構成されていることを特徴とする融雪機能付き敷設ブロックに係るものである。
【００１３】
また、請求項１〜３いずれか１項に記載の融雪機能付き敷設ブロックにおいて、前記融雪流体導出部７は、前記融雪流体５を前記敷設ブロック３の表面と略平行となる状態で導出するように構成されていることを特徴とする融雪機能付き敷設ブロックに係るものである。
【００１４】
また、請求項１〜４いずれか１項に記載の融雪機能付き敷設ブロックにおいて、前記敷設ブロック３は内部に前記融雪流体５が充填される空間Ｓを有することを特徴とする融雪機能付き敷設ブロックに係るものである。
【００１５】
また、請求項１〜５いずれか１項に記載の融雪機能付き敷設ブロックにおいて、前記融雪流体５として温風が採用されていることを特徴とする融雪機能付き敷設ブロックに係るものである。
【発明の効果】
【００１６】
本発明は上述のように構成したから、前述した従来例と異なり、敷設ブロックの表面に設けられた突出部及びその近傍部位の積雪を迅速に融雪して該突出部を確実に露出させることができ（突出部の露出により滑り止め機能が発揮される。）、しかも、融雪流体を供給する熱源の稼働時間も抑制することができることになる為、ランニングコストも少なくて済むことになるなど従来にない作用効果を発揮する画期的な融雪機能付き融雪ブロックとなる。
【発明を実施するための最良の形態】
【００１７】
好適と考える本発明の実施形態を、図面に基づいて本発明の作用を示して簡単に説明する。
【００１８】
融雪流体供給部４から供給される融雪流体５は、敷設ブロック３の表面に設けられた突出部２の融雪流体導出部７から導出され、この融雪流体導出部７から導出される融雪流体５により突出部２及びその近傍部位の積雪は融雪され該突出部２は露出する。
【００１９】
従って、突出部２及びその近傍部位の積雪に融雪流体５を直接導出することで迅速に融雪して突出部２を確実に露出させることができるから、この突出部２が表面に設けられる敷設ブロック３が例えば点字ブロックであった場合には確実にその機能（盲目者を所定方向に誘導する誘導機能）を発揮させることができることになり、しかも、敷設ブロック３表面の積雪を迅速に融雪できるから、融雪流体５を供給する熱源の稼働時間も抑制することができることになる為、ランニングコストも少なくて済むことになる。
【実施例１】
【００２０】
本発明の具体的な実施例１について図面に基づいて説明する。
【００２１】
本実施例は、被融雪部１に敷設され表面に突出部２が設けられた敷設ブロック３であって、前記突出部２には融雪流体５を導出する融雪流体導出部７が設けられ、この融雪流体導出部７は、前記融雪流体５を供給する融雪流体供給部４と連設され、この融雪流体供給部４から供給される前記融雪流体５は前記突出部２から導出されるように構成されたものである。
【００２２】
具体的には、敷設ブロック３は所謂点字ブロックであり、図１〜３に図示したように平面視方形状の板状体であり、この敷設ブロック３の表面長さ方向には所定の長さ及び巾を有する凸条形状の突出部２が複数並設されており、この各突出部２により盲目者を所定方向に誘導する誘導機能が発揮される。
【００２３】
また、各突出部２の内部には空洞部２ａが形成されており、この空洞部２ａは、後述する融雪流体導入部６及び空間Ｓを通過した融雪流体５が供給される部位である。
【００２４】
また、各突出部２の頂面以外の部分である左右側面には、空洞部２ａに連通する孔から成る融雪流体導出部７が複数並設されており、この各融雪流体導出部７の開口形状は水分の噴射軌跡が面状となるフラットノズル状に形成されている。
【００２５】
従って、この融雪流体導出部７から導出される融雪流体５は敷設ブロック３の表面と略平行状態で導出される。
【００２６】
また、敷設ブロック３の内部には、巾方向に所定長さを有する空間Ｓが形成されており、この空間Ｓは前述した各突出部２の空洞部２ａに連通状態に設けられている。
【００２７】
また、敷設ブロック３の中央部には、表裏面に貫通する平面視円形状の貫通孔９が形成され、この貫通孔９は前述した空間Ｓに連設状態に設けられており、更に、貫通孔９の下方開口部は融雪流体５を導入する融雪流体導入部６として構成されている。
【００２８】
また、この貫通孔９には開閉弁10が配設されており、この開閉弁10の開放により貫通孔９と空間Ｓとが連通状態となるように構成されている。
【００２９】
開閉弁10は、図３に図示したように外筒11と該外筒11内で回動自在となる内筒12とで構成されており、空間Ｓと貫通孔９との連設部位に配され、敷設ブロック３の表面に露出する内筒12の天部を回動させ、外筒11及び内筒12夫々の周面に形成した孔11ａ，12ａを合致させることで空間Ｓと貫通孔９との連通状態が得られるように構成されている。
【００３０】
以上の構成から、融雪流体供給部４から供給される融雪流体５は、融雪流体導入部６、空間Ｓ及び空洞部２ａを通過して融雪流体導出部７から敷設ブロック３の表面に導出されることになる。
【００３１】
融雪流体供給部４は、図１，３に図示したように被融雪部１としての歩道の長さ方向に設けられた凹溝１ａに融雪流体供給管13を設けて構成されており、この融雪流体供給管13に接続される図示省略の融雪流体供給装置（熱源）から送出される融雪流体５としての温風が通過するように構成されている。尚、融雪流体５は温風に限らず、温水でも良いなど本実施例の特性を発揮するものであれば適宜採用し得るものである。
【００３２】
また、融雪流体供給管13の上部には、該融雪流体供給管13の長さ方向に切欠部13ａが設けられており、融雪流体供給管13の上部に敷設ブロック３を敷設した際、該敷設ブロック３の融雪流体導入部６が切欠部13ａの上方位置に配されるように構成されている。
【００３３】
従って、融雪流体供給管13を流れる温風（融雪流体５）は、敷設ブロック３の融雪流体導入部６へ供給されることになる。
【００３４】
本実施例は上述のように構成したから、融雪流体供給部４から供給される融雪流体５は融雪流体導入部６から敷設ブロック３内へ導入され、この融雪流体導入部６から導入され内部を通過させた融雪流体５は敷設ブロック３の表面の突出部２に設けた融雪流体導出部７から導出される。
【００３５】
よって、本実施例によれば、突出部２及びその近傍部位の積雪に融雪流体５を直接導出することで迅速に融雪して突出部２を確実に露出させることができるから、この突出部２が表面に設けられる敷設ブロック３が例えば点字ブロックであった場合には確実にその機能（盲目者を所定方向に誘導する誘導機能）を発揮させることができることになり、しかも、突出部２が露出することによる滑り止め機能も確実に発揮されることになり、そして更に、敷設ブロック３表面の積雪を迅速に融雪できるから、融雪流体５を供給する熱源の稼働時間も抑制することができることになる為、ランニングコストも少なくて済むことになる。
【００３６】
また、本実施例は、融雪流体導出部７は、融雪流体５を敷設ブロック３の表面と略平行となる状態で導出するように構成されているから、敷設ブロック３の表面の積雪をムラなく良好に融雪することができ、しかも、融雪流体５が歩行者に可及的にあたらない状態がえられることになる。
【００３７】
また、本実施例は、突出部２は敷設ブロック３の表面に複数設けられており、この各突出部２により盲目者を所定方向に誘導する誘導機能を発揮するように構成されているから、特に突出部２が露出するように綺麗に融雪する必要のある点字ブロックの積雪を確実に融雪することができる。
【００３８】
また、本実施例は、敷設ブロック３は内部に温風（融雪流体５）が充填される空間Ｓを有するから、内部を通過する温風により敷設ブロック３自体が暖められ、敷設ブロック３全体から発せられる熱によっても融雪機能が発揮される。
【００３９】
また、本実施例は、融雪流体５として温風が採用されているから、融雪水を散水した場合と異なり、歩行者が濡れる心配はない。
【実施例２】
【００４０】
本発明の具体的な実施例２について図面に基づいて説明する。
【００４１】
本実施例は、図４〜７に図示したように突出部２として平面視円形状の突出部２を採用した場合である。
【００４２】
この突出部２は、前述した実施例１と同様、敷設ブロック３の表面に複数並設されており、各突出部２が所定方向に並設されることで盲目者を所定方向に誘導する誘導機能が発揮されるように構成されている。
【００４３】
その余は実施例１と同様である。
【００４４】
尚、本発明は、実施例１，２に限られるものではなく、各構成要件の具体的構成は適宜設計し得るものである。
【図面の簡単な説明】
【００４５】
【図１】実施例１の使用状態説明図である。
【図２】実施例１に係る要部を説明する断面図である。
【図３】図２のＡ−Ａ断面図である。
【図４】実施例２の使用状態説明図である。
【図５】実施例２に係る要部を説明する断面図である。
【図６】図５のＢ−Ｂ断面図である。
【図７】図５のＣ−Ｃ断面図である。
【符号の説明】
【００４６】
Ｓ  空間
１  被融雪部
２  突出部
３  敷設ブロック
４  融雪流体供給部
５  融雪流体
７  融雪流体導出部
【図１】
2008115538.tif 000003
【図２】
2008115538.tif 000004
【図３】
2008115538.tif 000005
【図４】
2008115538.tif 000006
【図５】
2008115538.tif 000007
【図６】
2008115538.tif 000008
【図７】
2008115538.tif 000009